(57)【要約】【課題】出力する音信号の強弱に合わせて光源を点灯させる。【解決手段】スピーカシステムは、複巻トランス１１１の１次側のコイル１２１を回路要素として含むアナログフィルタ（例えば、複巻トランス１１１の１次側のコイル１２１とコンデンサ１１２からなるローパスフィルタ）を有するネットワーク回路１０３と、入力信号により複巻トランス１１１の１次側のコイル１２１に生じた磁界による電磁誘導によって、複巻トランスの２次側のコイルに生じた電圧を整流して、光源としてのＬＥＤ１４３に印加して、ＬＥＤ１４３を点灯させる点灯回路１０６とを有している。【選択図】図３
2010062782.tif 000002
【特許請求の範囲】
【請求項１】
複巻トランスの１次側のコイルを回路要素として含むアナログフィルタを有し、上記アナログフィルタをスピーカユニットに出力するネットワーク回路と、
音信号により上記複巻トランスの１次側のコイルに生じた磁界による電磁誘導によって、上記複巻トランスの２次側のコイルに生じた電圧を整流して、光源に印加し、上記光源を点灯させる点灯回路と
を有することを特徴とするスピーカシステム。
【請求項２】
上記複巻トランスの２次側のコイルに、１個以上のタップが設けられており、
上記タップを介して供給された電圧が印可される２個以上の光源が設けられている
ことを特徴とする請求項１に記載のスピーカシステム。
【発明の詳細な説明】
【技術分野】
【０００１】
本発明は、スピーカシステムに関する。
【背景技術】
【０００２】
従来から、出力する音信号の強度に応じて光源を点灯するスピーカシステムが開発されている。
【０００３】
図１は、特許文献１に開示されているイルミネーション付きスピーカ１０の断面図である。
【０００４】
スピーカ１０は、センターキャップ１７の底面に取り付けられるとともに、ボイスコイルボビン１４より小さい筒状体２５と、筒状体２５の底部の内面に固定されたプリント基板２１と、プリント基板２１に搭載された発光ダイオード等の光源２２と、筒状体２５の底面外周からヨーク１１上部の外側または内側まで延出させた円筒状のボビン２３と、ボビン２３の下端に巻かれた誘導コイル２４とを備えている。
【０００５】
プリント基板２１は、誘導コイル２４に接続され、光源２２を駆動する駆動回路（図示せず）を備えている。
【０００６】
センターキャップ１７は、円盤状をなし、半透明な材料、例えばアクリル・ポリカーボネート、ナチュラルＡＢＳ等で作られ、透光性を有している。また、センターキャップ１７の外周部には、振動板１６の傾斜に合わせ、上縁の径を下縁の径より大きくした斜面１７ａが形成されている。
【０００７】
ヨーク１１は、その外周上部とベントホール１１ａ間の厚さが、外周下部とベントホール１１ａ間の厚さより薄くなるように形成されている。図１に示すように、ボビン２３の内径は、ヨーク１１上部の外径よりわずかに大きい寸法に設定されている。
【０００８】
また、筒状体２５の下からベントホール１１ａに向かって放熱できるように、複数の通気穴２３ａが、ボビン２３外周の周方向に適当な間隔で形成されている。
【０００９】
上述の構造において、音信号が、錦糸線２０を介してボイスコイルボビン１４に供給されると、ボイスコイルボビン１４の振動によって振動板１６が振動する。この結果、センターキャップ１７とこれに固定された筒状体２５が振動する。したがって、ボビン２３に巻かれた誘導コイル２４は、上下方向に振動する。永久磁石１２からトッププレート１３を介して、磁束が誘導コイル２４を貫いている。このため、誘導コイル２４に起電力が誘起される。この誘起起電力に基づく電圧は、プリント基板２１の駆動回路を介して光源２２に供給される。この結果、光源２２が、音信号の強弱（音量）に合わせて強弱点灯あるいは点滅する。
【００１０】
光源２２から発した強弱点灯あるいは点滅する光は、透光性のセンターキャップ１７を介して、スピーカ１０の正面から見ることができる。このため、スピーカ１０は、イルミネーション効果の高いものとなる。
【００１１】
しかしながら、特許文献１の発明において、誘導コイル２４にて発生した電圧は、通常光源２２を点灯させるには小さく、誘導コイル２４にて発生した電圧が直接光源２２に供給されても、光源２２を点灯させるのは困難である。
【００１２】
特許文献２には、ネットワーク回路用のチョークコイルをオートトランスとして電圧を昇圧する技術が示されている。
【００１３】
図２は、特許文献２におけるスピーカシステムの構成例を示す図である。
【００１４】
入力端子５１，５２とスピーカユニット５３間にネットワーク回路６１が設けられている。このネットワーク回路６１は、チョークコイル６２，６３、およびコンデンサ６４，６５で構成される。チョークコイル６２は、オートトランスを構成している。そして、このチョークコイル６２の両端間に、整流用ダイオード５４、保護抵抗５５、およびＬＥＤ（Light Emitting Diode）５６からなる直列回路が接続されている。
【００１５】
この例においては、スピーカシステムへの入力電圧が、ネットワーク回路６１のチョークコイル６２からなるオートトランスで昇圧され、ダイオード５４で整流されてＬＥＤ５６に供給される。したがって、ＬＥＤ５６には、点灯に充分な電圧が供給される。
【００１６】
【特許文献１】特開2001-238282号公報
【特許文献２】実開昭57-78188号公報
【発明の開示】
【発明が解決しようとする課題】
【００１７】
しかしながら特許文献２の発明では、ネットワーク回路６１のチョークコイル６２の信号ラインの電流をそのまま使用しているので、ＬＥＤ５６を点灯させると、信号レベル（電流）が下がり信号が小さくなってしまい、スピーカの本来の電気的特性が得られなくなる。
【００１８】
本発明は、このような状況に鑑みてなされたものであり、例えば、スピーカの電気的特性を損ねることなく、音信号の強弱に合わせて光源を点灯させることができるようにするものである。
【課題を解決するための手段】
【００１９】
本発明の一側面は、複巻トランスの１次側のコイルを回路要素として含むアナログフィルタを有し、アナログフィルタをスピーカユニットに出力するネットワーク回路と、音信号により複巻トランスの１次側のコイルに生じた磁界による電磁誘導によって、複巻トランスの２次側のコイルに生じた電圧を整流して、光源に印加し、光源を点灯させる点灯回路とを有することを特徴とする。
【００２０】
複巻トランスの２次側のコイルに、１個以上のタップが設けられており、タップを介して供給された電圧印加により、２個以上の光源を設けることができ、音声信号の強弱レベルを複数個の光源にて表現することが可能となる。
【発明の効果】
【００２１】
本発明では、音信号の強弱に合わせて光源を点灯させることができる。
【発明を実施するための最良の形態】
【００２２】
図３は、本発明の実施の形態に係るスピーカシステムの構成例を示す図である。
【００２３】
このスピーカシステムは、入力端子１０１および１０２、ネットワーク回路１０３、スピーカユニット１０４および１０５、並びに点灯回路１０６から構成されている。
【００２４】
入力端子１０１および１０２から入力された例えば図示せぬアンプからの音信号（以下、入力信号と称する）は、ネットワーク回路１０３に供給される。
【００２５】
ネットワーク回路１０３は、入力された音信号を２つの周波数帯域に分割して、低周波帯域の信号を、低音域用のスピーカからなるスピーカユニット１０４に供給し、高周波帯域の信号を、高音域用のスピーカからなるスピーカユニット１０５に供給する。
【００２６】
ネットワーク回路１０３は、複巻トランス１１１の１次側のコイル１２１、コンデンサ１１２、チョークコイル１３１、およびコンデンサ１３２から構成されている。複巻トランス１１１の１次側のコイル１２１とコンデンサ１１２は、アナログフィルタとしてのローパスフィルタを構成し、スピーカユニット１０４に接続されている。チョークコイル１３１とコンデンサ１３２は、アナログフィルタとしてのハイパスフィルタを構成し、スピーカユニット１０５に接続されている。
【００２７】
点灯回路１０６は、複巻トランス１１１の２次側のコイル１２２、ダイオード１４１、コンデンサ１４２、およびＬＥＤ１４３から構成されている。入力信号により複巻トランス１１１の１次側のコイル１２１に生じた磁界による電磁誘導によって、複巻トランス１１１の２次側のコイル１２２に生じた電圧がダイオード１４１およびコンデンサ１４２により整流されて、ＬＥＤ１４３に印加される。その結果、光源としてのＬＥＤ１４３が点灯する。
【００２８】
複巻トランス１１１の１次側と２次側の巻線比は、２次電圧が１次電圧より高くなるものとなっている。即ちこのスピーカシステムでは、スピーカシステムへの入力信号の電圧が、複巻トランス１１１で昇圧され、点灯回路１０６に供給される。
【００２９】
以上のように、複巻トランス１１１の１次側のコイル１２１を回路要素としてローパスフィルタを構成し、複巻トランス１１１の２次側のコイル１２２に生じた電圧でＬＥＤ１４３を点灯させるようにしたので、音信号の強度に応じてＬＥＤ１４３を点灯させることができるとともに、小音量時においてもＬＥＤ１４３を点灯させることができる。
【００３０】
また１次側と２次側の回路を絶縁する複巻トランス１１１を利用したので、ＬＥＤ１４３を点灯させてもスピーカユニット１０４に供給される信号レベル（電流）が下がることはなく、本来のスピーカ特性を維持することができる。
【００３１】
またネットワーク回路１０３を構成するフィルタの回路要素を利用してＬＥＤ１４３を点灯させるようにしたので、ネットワーク回路を有していれば、本発明を容易に適用することができる。
【００３２】
なお以上においては、１個の光源（図３の例の場合、ＬＥＤ１４３）を点灯させる場合を例として説明したが、複数の光源を点灯させることもできる。
【００３３】
図４は、複数の光源を点灯させる場合のスピーカシステムの構成例を示す図である。
【００３４】
このスピーカシステムは、入力端子１５１および１５２、ネットワーク回路１５３、スピーカユニット１５４および１５５、並びに点灯回路１５６から構成されている。
【００３５】
入力端子１５１および１５２から入力された入力信号は、ネットワーク回路１５３に供給される。
【００３６】
ネットワーク回路１５３は、複巻トランス１６１の１次側のコイル１７１、チョークコイル１８１、およびコンデンサ１８２から構成されている。
【００３７】
点灯回路１５６は、複巻トランス１６１の２次側のコイル１７２、３個のダイオード１９１−１，１９１−２，１９１−３（以下、個々に区別する必要がない場合、単にダイオード１９１と称する。他の場合においても同様である）、３個の抵抗１９２−１，１９２−２，１９２−３、３個のコンデンサ１９３−１，１９３−２，１９３−３、および３個のＬＥＤ１９４−１，１９４−２，１９４−３から構成されている。
【００３８】
複巻トランス１６１の２次側のコイル１７２には、３個のタップが設けられ、ダイオード１９１−１，１９１−２，１９１−３がそれぞれ接続されている。即ちダイオード１９１−１、抵抗１９２−１、コンデンサ１９３−１、およびＬＥＤ１９４−１からなる回路（以下、回路Ｒ１と称する）、ダイオード１９１−２、抵抗１９２−２、コンデンサ１９３−２、およびＬＥＤ１９４−２からなる回路（以下、回路Ｒ２と称する）、並びにダイオード１９１−３、抵抗１９２−３、コンデンサ１９３−３、およびＬＥＤ１９４−３からなる回路（以下、回路Ｒ３と称する）には、複巻トランス１６１の２次側のコイル１７２に電磁誘導により生じた電圧が、接続しているタップを介して供給される。
【００３９】
回路Ｒ１に供給された電圧は、ダイオード１９１−１およびコンデンサ１９３−１によって整流されてＬＥＤ１９４−１に印加される。その結果、ＬＥＤ１９４−１が点灯する。
【００４０】
同様に、回路Ｒ２に供給された電圧は、ダイオード１９１−２およびコンデンサ１９３−２によって整流されてＬＥＤ１９４−２に印可され、ＬＥＤ１９４−１が点灯する。回路Ｒ３に供給された電圧は、ダイオード１９１−３およびコンデンサ１９３−３によって整流されてＬＥＤ１９４−３に印可され、ＬＥＤ１９４−３が点灯する。
【００４１】
以上のようにして、例えば入力信号に応じて複数のＬＥＤ１９４を点灯させることができる。その結果、例えば音声信号の強弱レベルを複数個の光源にて表現することが可能となる。
【図面の簡単な説明】
【００４２】
【図１】従来のスピーカシステムの構成例を示す図である。
【図２】従来の他のスピーカシステムの構成例を示す図である。
【図３】本発明の実施の形態に係るスピーカシステムの構成例を示す図である。
【図４】本発明の実施の形態に係るスピーカシステムの他の構成例を示す図である。
【符号の説明】
【００４３】
１０１  入力端子，  １０２  入力端子，  １０３  ネットワーク回路，  １０４  スピーカユニット，  １０５  スピーカユニット，  １０６  点灯回路，  １１１  複巻トランス，  １１２  コンデンサ，  １２１  １次側のコイル，  １２２  ２次側のコイル，  １３１  チョークコイル，  １３２  コンデンサ，  １４１  ダイオード，  １４２  コンデンサ，  １４３  ＬＥＤ，  １５１  入力端子，  １５２  入力端子，  １５３  ネットワーク回路，  １５４  スピーカユニット，  １５５  スピーカユニット，  １５６  点灯回路，  １６１  複巻トランス，  １７１  １次側のコイル，  １７２  ２次側のコイル，  １８１  チョークコイル，  １８２  コンデンサ，  １９１  ダイオード，  １９２  抵抗，  １９３  コンデンサ，  １９４  ＬＥＤ
【図１】
2010062782.tif 000003
【図２】
2010062782.tif 000004
【図３】
2010062782.tif 000005
【図４】
2010062782.tif 000006